【手続補正書】
【提出日】平成24年9月27日(2012.9.27)
【手続補正１】
【補正対象書類名】特許請求の範囲
【補正対象項目名】全文
【補正方法】変更
【補正の内容】
【特許請求の範囲】
【請求項１】
所定波長帯域光を射出する光源と、該光源の光射出方向に配置され、前記光源からの射出光を平行光に変換するコリメータレンズと、を備え、前記光源と前記コリメータレンズとの距離が可変とされている光源ユニットと、
前記光源ユニットからの射出光を励起光として蛍光発光する蛍光発光領域を有する蛍光ホイールと、
前記蛍光ホイールから射出される光線束を同一光路上に集光する集光光学系と、を備えることを特徴とする光源装置。
【請求項２】
前記蛍光ホイールを回転駆動するホイールモータと、を備え、
前記蛍光ホイールは、前記光源ユニットからの射出光を拡散透過する拡散透過領域を前記蛍光発光領域に周方向に並設して有することを特徴とする請求項１に記載の光源装置。
【請求項３】
前記コリメータレンズは、前記光源の光軸と平行に可動とされ、任意の断面積とされた光線束を射出可能とされていることを特徴とする請求項１又は請求項２に記載の光源装置。
【請求項４】
前記コリメータレンズは、保持部材に保持されており、該保持部材が前記光源の光軸と平行に可動とされていることを特徴とする請求項１乃至請求項３のいずれかに記載の光源装置。
【請求項５】
前記光源ユニットは、該光源ユニットの光軸上に位置する前記蛍光ホイールの領域の特性に応じて前記光源と前記コリメータレンズとの距離を前記光源ユニットの光軸方向に変化させることを特徴とする請求項１乃至請求項４のいずれかに記載の光源装置。
【請求項６】
前記光源ユニットの光源は、青色波長帯域光を射出する青色レーザー発光器であって、
前記蛍光ホイールは、赤色蛍光体層が敷設された赤色蛍光発光領域と、緑色蛍光体層が敷設された緑色蛍光発光領域と、前記光源ユニットからの射出光を拡散透過する前記拡散透過領域と、が周方向に並設されて形成されており、
前記光源ユニットは、前記光源ユニットの光軸上に前記赤色蛍光発光領域又は前記拡散透過領域が位置するとき、前記コリメータレンズと前記光源との距離が離れる方向に前記コリメータレンズを移動させ、前記光源ユニットの光軸上に前記緑色蛍光発光領域が位置するとき、前記コリメータレンズと前記光源との距離が近づく方向に前記コリメータレンズを移動させる駆動機構を有していることを特徴とする請求項１乃至請求項５のいずれかに記載の光源装置。
【請求項７】
前記光源ユニットの光源は、青色波長帯域光を射出する青色レーザー発光器であって、
赤色波長帯域光を射出する固体発光素子を備え、
前記蛍光ホイールは、緑色蛍光体層が敷設された緑色蛍光発光領域と、前記光源ユニットからの射出光を拡散透過する前記拡散透過領域と、が周方向に並設されて形成されており、
前記光源ユニットは、前記光源ユニットの光軸上に前記拡散透過領域が位置するとき、前記コリメータレンズと前記光源との距離が離れる方向に前記コリメータレンズを移動させ、前記光源ユニットの光軸上に前記緑色蛍光発光領域が位置するとき、前記コリメータレンズと前記光源との距離が近づく方向に前記コリメータレンズを移動させる駆動機構を有していることを特徴とする請求項１乃至請求項５のいずれかに記載の光源装置。
【請求項８】
光源装置と、光源側光学系と、導光装置と、表示素子と、投影側光学系と、光源制御手段と、複数の投影モードから任意の投影モードを選択する投影モード選択手段等のプロジェクタ制御手段と、を備え、
前記光源装置は、請求項１乃至請求項７のいずれかに記載の光源装置とされ、
前記光源制御手段は、前記投影モード選択手段において選択された投影モードに基づいて前記コリメータレンズを移動させることを特徴とするプロジェクタ。
【請求項９】
光源装置と、光源側光学系と、導光装置と、表示素子と、投影側光学系と、光源制御手段等のプロジェクタ制御手段と、を備え、
前記光源装置は、請求項６に記載の光源装置とされ、
前記光源制御手段は、
赤色波長帯域光を投影する場合、前記光源ユニットの光軸上に前記赤色蛍光発光領域が位置するよう前記蛍光ホイールを回転させるとともに、前記光源と前記コリメータレンズとの距離を離れさせる方向に前記コリメータレンズを移動させ、
緑色波長帯域光を投影する場合、前記光源ユニットの光軸上に前記緑色蛍光発光領域が位置するよう前記蛍光ホイールを回転させるとともに、前記光源と前記コリメータレンズとの距離を近づける方向に前記コリメータレンズを移動させ、
青色波長帯域光を投影する場合、前記光源ユニットの光軸上に前記拡散透過領域が位置するよう前記蛍光ホイールを回転させるとともに、前記光源と前記コリメータレンズとの距離を離れさせる方向に前記コリメータレンズを移動させることを特徴とするプロジェクタ。
【請求項１０】
光源装置と、光源側光学系と、導光装置と、表示素子と、投影側光学系と、光源制御手段等のプロジェクタ制御手段と、を備え、
前記光源装置は、請求項７に記載の光源装置とされ、
前記光源制御手段は、
赤色波長帯域光を投影する場合、前記赤色波長帯域光を射出する個体発光素子を点灯させ、
緑色波長帯域光を投影する場合、前記個体発光素子を消灯して前記光源を点灯させ、前記光源ユニットの光軸上に前記緑色蛍光発光領域が位置するよう前記蛍光ホイールを回転させるとともに、前記光源と前記コリメータレンズとの距離を近づける方向に前記コリメータレンズを移動させ、
青色波長帯域光を投影する場合、前記光源ユニットの光軸上に前記拡散透過領域が位置するよう前記蛍光ホイールを回転させるとともに、前記光源と前記コリメータレンズとの距離を離れさせる方向に前記コリメータレンズを移動させることを特徴とするプロジェクタ。
【手続補正２】
【補正対象書類名】明細書
【補正対象項目名】発明の名称
【補正方法】変更
【補正の内容】
【発明の名称】光源装置及びプロジェクタ
【手続補正３】
【補正対象書類名】明細書
【補正対象項目名】０００１
【補正方法】変更
【補正の内容】
【０００１】
本発明は、コリメータレンズとレーザー光源との距離が可変とされた光源ユニットを備えた光源装置と、この光源装置を備えたプロジェクタと、に関するものである。
【手続補正４】
【補正対象書類名】明細書
【補正対象項目名】００１３
【補正方法】変更
【補正の内容】
【００１３】
本発明は、このような従来技術の問題点に鑑みてなされたものであり、コリメータレンズと光源との距離を可変にすることにより励起光の光線束の断面積を変化させることができる光源ユニットを備えた、蛍光ホイールに照射する励起光の照射面積を変化させることによって照度分布が均一で高輝度な光源光を射出できる光源装置と、この光源装置を備えることによって高輝度な投影画像を投影可能なプロジェクタと、を提供することを目的としている。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
本発明の光源装置は、所定波長帯域光を射出する光源と、該光源の光射出方向に配置され、前記光源からの射出光を平行光に変換するコリメータレンズと、を備え、前記光源と前記コリメータレンズとの距離が可変とされている光源ユニットと、前記光源ユニットからの射出光を励起光として蛍光発光する蛍光発光領域を有する蛍光ホイールと、前記蛍光ホイールから射出される光線束を同一光路上に集光する集光光学系と、を備えることを特徴とする。
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】変更
【補正の内容】
【００２４】
本発明によれば、コリメータレンズと光源との距離を可変とすることにより励起光などの光線束の断面積を変化させることができる光源ユニットを備えた、蛍光ホイールに照射する励起光などの照射面積を変化させることによって照度分布が均一で高輝度な赤色、緑色、青色波長帯域の光源光を射出できる光源装置と、この光源装置を備えることによって高輝度な投影画像を投影可能なプロジェクタと、を提供することができる。